(57)【要約】【課題】ガス消費者に残りのガス使用可能時間を精度よく知らせることで無用なガス切れを防止することができ、ガス消費者の利便性を向上させる。【解決手段】制御手段１３は、プリペイドガス使用可能量設定手段１５により設定されたプリペイドガス使用可能量と、ガス流量検出手段１１により検出された現在のガス流量とを基に、ガス使用可能時間を算出する。遮断弁１２は、算出されたガス使用可能残時間がなくなったとき、ガス配管を流れるガスを遮断する。表示手段１６は、制御手段１３により算出されたガス使用可能時間を表示する。また、制御手段１３は、ガス流量の変化がある度にガス使用可能時間を再計算する。【選択図】      図１
2005043979.tif 000002
【特許請求の範囲】
【請求項１】
ガス配管を流れるガス流量を検出するガス流量検出手段と、
プリペイドガス使用可能量を設定するプリペイドガス使用可能量設定手段と、
前記プリペイドガス使用可能量設定手段により設定されたプリペイドガス使用可能量と、前記ガス流量検出手段により検出された現在のガス流量とを基に、ガス使用可能時間を算出する制御手段と、
前記プリペイドガス使用可能量がなくなったとき、前記ガス配管を流れるガスを遮断する遮断弁と、
前記制御手段により算出されたガス使用可能時間を表示する表示手段と、
を有することを特徴とするガス供給制御装置。
【請求項２】
前記制御手段は、前記プリペイドガス使用可能量および／または前記ガス流量が変化したとき、前記ガス使用可能時間を再算出して更新し、
前記表示手段は、前記制御手段により更新されたガス使用可能時間を表示することを特徴とする請求項１記載のガス供給制御装置。
【請求項３】
ガス配管を流れるガス流量を検出するガス流量検出手段と、前記ガス配管を流れるガスを遮断する遮断弁と、を含むガス供給制御装置に有線または無線で接続されるガス使用可能時間表示装置であって、
プリペイドガス使用可能量を設定するプリペイドガス使用可能量設定手段と、
前記プリペイドガス使用可能量設定手段により設定されたプリペイドガス使用可能量と、前記ガス供給制御装置から受信する前記ガス流量検出手段により検出された現在のガス流量とを基に、ガス使用可能時間を算出する制御手段と、
前記制御手段により算出されたガス使用可能時間を表示する表示手段と、
を有することを特徴とするガス使用可能時間表示装置。
【請求項４】
前記制御手段は、前記プリペイドガス使用可能量および／または前記ガス流量が変化したとき、前記ガス使用可能時間を再算出して更新し、
前記表示手段は、前記制御手段により更新されたガス使用可能時間を表示することを特徴とする請求項３記載のガス使用可能時間表示装置。
【請求項５】
予め設定されるプリペイドガス使用可能量がなくなったとき、ガス配管を流れるガスを遮断弁により遮断するガス供給制御装置におけるガス使用可能時間表示方法であって、
ガス使用の有無を検出し、使用されているとき前記プリペイドガス使用可能量から前記ガスの使用量を減じて前記プリペイドガス使用可能量を更新し、
前記更新されたプリペイドガス使用可能量を、前記ガス配管を流れるガス流量に変化がある度に更新される現在ガス流量で除してガス使用可能時間を算出し、
前記算出したガス使用可能時間を表示することを特徴とするガス使用可能時間表示方法。
【請求項６】
予め設定されるプリペイドガス使用可能量がなくなったとき、ガス配管を流れるガスを遮断弁により遮断するガス供給制御装置におけるガス使用可能時間表示プログラムであって、
ガス使用の有無を検出し、使用されているとき前記プリペイドガス使用可能量から前記ガスの使用量を減じて前記プリペイドガス使用可能量を更新する使用可能量更新処理と、
前記使用可能量更新処理により更新されたプリペイドガス使用可能量を、前記ガス配管を流れるガス流量に変化がある度に更新される現在ガス流量で除してガス使用可能時間を算出する使用可能時間算出処理と、
前記使用可能時間算出処理により算出したガス使用可能時間を表示する表示処理と、
をコンピュータに実行させることを特徴とするコンピュータ読み取り可能なガス使用可能時間表示プログラム。
【発明の詳細な説明】
【０００１】
【発明の属する技術分野】
本発明は、プリペイド方式で料金を前払いしたガス消費者がガス使用可能時間を確認することができるガス供給制御装置、ガス使用可能時間表示装置、ガス使用可能時間表示方法、およびそのプログラムに関する。
【０００２】
【従来の技術】
ガス供給に対する課金手法の一つとして、プリペイド式ガス供給システムが提案されている。これは、ガス消費者から所定の金額が前払いされたときにその金額に応じたガス使用可能量をメータに設定し、ガス使用可能量までガスを消費したときに遮断弁を閉じガスの供給を止めるという手法である。この手法は、ガス消費者にとって明瞭な課金手法であるが、ガス使用可能量を超えると、突然ガス供給が停止しまい、ガス消費者に不測の事態が発生する可能性がある。
【０００３】
これに対し、特許文献１は、残りのガス使用可能時間を表示することにより、ガス消費者に注意を喚起する手法を開示している。
【０００４】
【特許文献１】
特開平１１−５３６３７号公報
【０００５】
【発明が解決しようとする課題】
しかしながら、特許文献１において表示されるガス使用可能残時間は、過去のガス消費量のデータを基に演算されるため、あくまでも想定に過ぎない。例えば、過去のデータが平日のガス消費量を基に算出したガス使用可能残時間である場合、土日のガス消費量は大きく増加することも考えられるため、当該ガス使用可能残時間よりかなり早くガスが使用できなくなる可能性がある。
【０００６】
本発明は、上記問題点に鑑みなされたものであり、ガス消費者に残りのガス使用可能時間を精度よく知らせることで無用なガス切れを防止することができ、ガス消費者の利便性を向上させるガス供給制御装置、ガス使用可能時間表示装置、ガス使用可能時間表示方法、およびそのプログラムを提供することを目的とする。
【０００７】
【課題を解決するための手段】
かかる目的を達成するために、請求項１記載の発明は、図１に示すように、ガス配管を流れるガス流量を検出するガス流量検出手段１１と、プリペイドガス使用可能量を設定するプリペイドガス使用可能量設定手段１５と、前記プリペイドガス使用可能量設定手段１５により設定されたプリペイドガス使用可能量と、前記ガス流量検出手段１１により検出された現在のガス流量とを基に、ガス使用可能時間を算出する制御手段１３と、前記プリペイドガス使用可能量がなくなったとき、前記ガス配管を流れるガスを遮断する遮断弁１２と、前記制御手段１３により算出されたガス使用可能時間を表示する表示手段１６と、を有することを特徴としている。
【０００８】
したがって、請求項１記載の発明によれば、制御手段１３が現在のガス流量（現在使用しているガス器具のガス使用量）を基にガス使用可能時間を算出し、表示手段１６がガス使用可能時間を表示するため、ガス使用可能時間表示より早くガスが使用できなくなるということがなくなるため、ガス消費者の利便性が向上する。
【０００９】
請求項２記載の発明は、請求項１記載の発明において、前記制御手段１３は、前記プリペイドガス使用可能量および／または前記ガス流量が変化したとき、前記ガス使用可能時間を再算出して更新し、前記表示手段１６は、前記制御手段１３により更新されたガス使用可能時間を表示することを特徴としている。
【００１０】
したがって、請求項２記載の発明によれば、制御手段１３がガス流量の変化がある度にガス使用可能時間を再計算し、表示手段１６がリアルタイムにガス使用可能時間を表示することにより、より精度の高いガス使用可能時間をガス消費者に提示することができる。
【００１１】
請求項３記載の発明は、図３に示すように、ガス配管を流れるガス流量を検出するガス流量検出手段１１と、前記ガス配管を流れるガスを遮断する遮断弁１２と、を含むガス供給制御装置１０に有線または無線で接続されるガス使用可能時間表示装置２０であって、プリペイドガス使用可能量を設定するプリペイドガス使用可能量設定手段２５と、前記プリペイドガス使用可能量設定手段２５により設定されたプリペイドガス使用可能量と、前記ガス供給制御装置１０から受信する前記ガス流量検出手段１１により検出された現在のガス流量を基に、ガス使用可能時間を算出する制御手段２３と、前記制御手段２３により算出されたガス使用可能時間を表示する表示手段２６と、を有することを特徴としている。
【００１２】
したがって、請求項３記載の発明によれば、制御手段２３がガス供給制御装置１０から受信する現在のガス流量を基にガス使用可能時間を算出し、表示手段２６がガス使用可能時間を表示するため、ガス使用可能時間表示より早くガスが使用できなくなるということがなくなるため、ガス消費者の利便性が向上する。また、表示手段２６をガス供給制御装置１０から分離したことから、ガス消費者の希望する位置でガス使用可能時間を表示することができる。さらに、既存のガス供給制御装置１０にガス使用可能時間を表示する装置を後付けすることができる。
【００１３】
請求項４記載の発明は、請求項３記載の発明において、前記制御手段２３は、前記プリペイドガス使用可能量および／または前記ガス流量が変化したとき、前記ガス使用可能残時間を再算出して更新し、前記表示手段２６は、前記制御手段２３により更新されたガス使用可能残時間を表示することを特徴としている。
【００１４】
したがって、請求項４記載の発明によれば、制御手段２３がガス流量の変化がある度にガス使用可能残時間を再計算し、表示手段２６がリアルタイムにガス使用可能時間を表示することにより、より精度の高いガス使用可能残時間をガス消費者に提示することができる。
【００１５】
請求項５記載の発明は、予め設定されるプリペイドガス使用可能量がなくなったとき、ガス配管を流れるガスを遮断弁により遮断するガス供給制御装置におけるガス使用可能時間表示方法であって、ガス使用の有無を検出し、使用されているとき前記プリペイドガス使用可能量から前記ガスの使用量を減じて前記プリペイドガス使用可能量を更新し、前記更新されたプリペイドガス使用可能量を、前記ガス配管を流れるガス流量に変化がある度に更新される現在ガス流量で除してガス使用可能時間を算出し、前記算出したガス使用可能時間を表示することを特徴としている。
【００１６】
したがって、請求項５記載の発明によれば、現在のガス流量を基にガス使用可能時間を算出し、リアルタイムにガス使用可能時間を表示するため、ガス使用可能時間表示より早くガスが使用できなくなるということがなくなるため、ガス消費者の利便性が向上する。
【００１７】
請求項６記載の発明は、予め設定されるプリペイドガス使用可能量がなくなったとき、ガス配管を流れるガスを遮断弁により遮断するガス供給制御装置におけるガス使用可能時間表示プログラムであって、ガス使用の有無を検出し、使用されているとき前記プリペイドガス使用可能量から前記ガスの使用量を減じて前記プリペイドガス使用可能量を更新する使用可能量更新処理と、前記使用可能量更新処理により更新されたプリペイドガス使用可能量を、前記ガス配管を流れるガス流量に変化がある度に更新される現在ガス流量で除してガス使用可能時間を算出する使用可能時間算出処理と、前記使用可能時間算出処理により算出したガス使用可能時間を表示する表示処理と、をコンピュータに実行させることを特徴としている。
【００１８】
したがって、請求項６記載の発明によれば、現在のガス流量を基にガス使用可能時間を算出させ、リアルタイムにガス使用可能時間を表示させるプログラムを実行することにより、ガス使用可能時間表示より早くガスが使用できなくなるということがなくなるため、ガス消費者の利便性が向上する。
【００１９】
【発明の実施の形態】
以下、本発明の実施形態を添付図面を参照しながら詳細に説明する。
【００２０】
図１は、本発明の第１の実施形態におけるガス供給制御装置の構成を示すブロック図である。図１に示すガス供給制御装置１０は、流量センサ１１、遮断弁１２、制御部１３、記憶部１４、プリペイドガス使用可能量設定部１５、および表示部１６を備える。
【００２１】
流量センサ１１は、配管を流れるガス流量を検出して、検出したガス流量を電気信号に変換して制御部１３に出力する。遮断弁１２は、制御部１３からの指示により弁を閉じて、ガス機器へのガス供給を遮断する。
【００２２】
制御部１３は、例えばマイコンで構成され、装置全体を制御する。記憶部１４は、ＲＯＭおよびＲＡＭを備える。ＲＯＭは、制御部１３を動作させるプログラムおよび基礎データを記憶している。ＲＡＭは、作業領域として用いられ、流量センサ１１およびプリペイドガス使用可能量設定部１５から入力されるデータや、当該データを基に制御部１３が演算する演算結果等を一時記憶する。
【００２３】
制御部１３は、遮断弁１２の開閉を制御し、プリペイドガス使用可能量設定部１５から設定されるガス使用可能量がなくなった場合、ガス供給を停止するために遮断弁１２に閉を指示する信号を出力する。また、制御部１３は、流量センサ１１から入力されるガス流量および上記ガス使用可能量を基に、ガス使用可能（残）時間を算出する。なお図示していないが、ガス漏れサンセを設けて、当該ガス漏れサンセからガス漏れ信号を受信したときも、遮断弁１２に閉を指示する信号を出力する制御を行ってもよい。
【００２４】
プリペイドガス使用可能量設定部１５は、ガス管理者がガス使用可能量を設定するためのものである。ガス管理者は、予めガス消費者から所望のガス使用可能量に応じた料金を支払われると、当該ガス使用可能量をプリペイドガス使用可能量設定部１５から設定する。プリペイドガス使用可能量設定部１５は、設定されたガス使用可能量を制御部１３に出力する。なお、プリペイドガス使用可能量設定部１５は、カードやスティック状の記録媒体を挿入されるスロットを備えたものとしてもよい。この場合、プリペイドガス使用可能量設定部１５は、ガス消費者が予め料金を支払うことによってガス使用可能量が書き込まれた上記記録媒体が上記スロットに挿入されると、当該ガス使用可能量を読み取り、制御部１３に出力する。また、管理センタや設定器からの通信によって、ガス使用可能量を設定してもよい。
【００２５】
表示部１６は、制御部１３により算出されたガス使用可能時間、およびその他必要な情報を表示する。表示部１６は、一般のメーター表示、液晶表示、有機ＥＬ表示等を用いるとよい。
【００２６】
次に、本発明の実施形態におけるガス供給制御装置の動作について説明する。図２は、当該ガス供給制御装置の動作を説明するためのフローチャートである。まず、プリペイドガス使用可能量設定部１５からガス消費者による料金支払に応じたガス使用可能量が設定される（ステップＳ１０）。当該ガス使用可能量は、制御部１３を介して記憶部１４に記憶される。
【００２７】
次に、流量センサ１１は、配管のガス流量を検出してガスが使用中であるか否かを判断する（ステップＳ１１）。ガスが使用中である場合は（ステップＳ１１／Ｙ）、制御部１３は、流量センサ１１が検出したガス流量を記憶部１４に現在ガス流量として記憶する。制御部１３は、当該現在ガス流量を基にガス使用量を算出し、下記式１のように、ガス使用可能量から当該ガス使用量を差し引いて、新たなガス使用可能量を算出する（ステップＳ１２）。
【００２８】
ガス使用可能量［ｍ３］←ガス使用可能量［ｍ３］−ガス使用量［ｍ３］    …式１
【００２９】
次に、制御部１３は、下記式２に示すように流量センサ１１により検出される現在ガス流量およびガス使用可能量を基に、ガス使用可能時間を算出する（ステップＳ１３）。
【００３０】
ガス使用可能時間［ｈ］＝ガス使用可能量［ｍ３］／現在ガス流量［ｍ３／ｈ］…式２
【００３１】
制御部１３は、算出したガス使用可能時間を記憶部１４に記憶する。次回以降は、適宜算出されるガス使用可能時間を更新する（ステップＳ１４）。そして、現在のガス使用可能時間を表示部１６に出力し、表示部１６は、当該ガス使用可能時間を表示する（ステップＳ１５）。上記式２では時単位で算出しているが、表示する際は分単位まで表示するとよい。なお、表示部１６は、ガス使用可能時間を表示すると同時に、現在ガス流量や現在のガス使用可能量を合わせて表示してもよい。
【００３２】
次に、流量センサ１１によりガス流量の変化が検出されると（ステップＳ１６／Ｙ）、制御部１３は、記憶部１４に記憶された現在ガス流量を、変化したガス流量に更新する（ステップＳ１７）。そして、ステップＳ１１に遷移する。ステップＳ１６において、流量センサ１１によりガス流量の変化がないときは（ステップＳ１６／Ｎ）、そのままステップＳ１１に遷移する。
【００３３】
次に、本発明の第２の実施形態におけるガス供給制御装置に接続されるガス使用可能時間表示装置について説明する。図３は、本発明の第２の実施形態におけるガス供給制御装置およびガス使用可能時間表示装置の構成を示すブロック図である。図３において、ガス供給制御装置１０は、流量センサ１１、遮断弁１２、制御部１３、記憶部１４、および入出力部１７を備える。ガス使用可能時間表示装置２０は、制御部２３、記憶部２４、入出力部１７、プリペイドガス使用可能量設定部２５、および表示部２６を備える。
【００３４】
ガス供給制御装置１０とガス使用可能時間表示装置２０とは、有線または無線（例えば短距離赤外線通信）で接続される。ガス供給制御装置１０を屋外にガス使用可能時間表示装置２０を屋内に設置してもよいし、ガス供給制御装置１０にガス使用可能時間表示装置２０を後から組み込んでもよい。
【００３５】
流量センサ１１は、配管を流れるガス流量を検出して、検出したガス流量を電気信号に変換して制御部１３に出力する。そして、制御部１３から入出力部１７および入出力部２７を介して制御部２３にも出力する。遮断弁１２は、制御部１３から、または制御部２３から入出力部２７、入出力部１７および制御部１３を介して受信した開閉指示を基に弁の開閉を行う。制御部１３は、例えばマイコンで構成され、ガス供給制御装置１０全体を制御する。記憶部１４は、ＲＯＭおよびＲＡＭを備える。入出力部１７は、ガス使用可能時間表示装置２０と通信するためのインタフェースである。
【００３６】
制御部２３は、例えばマイコンで構成され、ガス使用可能時間表示装置２０全体を制御する。記憶部２４は、ＲＯＭおよびＲＡＭを備える。ＲＯＭは、制御部２３を動作させるプログラムおよび基礎データを記憶している。ＲＡＭは、作業領域として用いられ、流量センサ１１から制御部１３、入出力部１７および入出力部２７を介して入力されるデータおよびプリペイドガス使用可能量設定部２５から入力されるデータや、当該データを基に制御部２３が演算する演算結果等を一時記憶する。
【００３７】
制御部２３は、入出力部２７、入出力部１７および制御部１３を介して遮断弁１２の開閉を制御し、プリペイドガス使用可能量設定部２５から設定されるガス使用可能量がなくなった場合、ガス供給を停止するために遮断弁１２に閉を指示する信号を出力する。また、制御部２３は、流量センサ１１から制御部１３、入出力部１７および入出力部２７を介して入力されるガス流量および上記ガス使用可能量を基に、ガス使用可能時間を算出する。
【００３８】
プリペイドガス使用可能量設定部２５は、ガス管理者がガス使用可能量を設定するためのものである。ガス管理者は、予めガス消費者から所望のガス使用可能量に応じた料金を支払われると、当該ガス使用可能量をプリペイドガス使用可能量設定部２５から設定する。プリペイドガス使用可能量設定部２５は、設定されたガス使用可能量を制御部２３に出力する。なお、プリペイドガス使用可能量設定部２５は、第１の実施形態のように、カードやスティック状の記録媒体を挿入されるスロットを備えたものとしてもよい。さらに、プリペイドガス使用可能量がプリチャージされたガス使用可能時間表示装置２０自体を販売してもよい。また、管理センタや設定器からの通信によって、ガス使用可能量を設定してもよい。表示部２６は、制御部２３により算出されたガス使用可能時間、その他必要な情報を表示する。入出力部２７は、ガス供給制御装置１０と通信するためのインタフェースである。
【００３９】
第２の実施形態におけるガス供給制御装置１０およびガス使用可能時間表示装置２０の動作は、図２に示すフローチャートの説明と同様である。第２の実施形態は、第１の実施形態と比較し、流量センサ１１から離れた位置に表示部２６を設置することができることから、ガス利用者がガス機器（例えば、調理器、湯沸器）の使用中にも、容易に残りのガス使用可能時間を確認することができる。
【００４０】
次に、本発明の第３の実施形態におけるガス供給制御装置およびガス使用可能時間表示装置について説明する。図４は、本発明の第３の実施形態におけるガス供給制御装置およびガス使用可能時間表示装置の構成を示すブロック図である。図４において、ガス供給制御装置１０は、流量センサ１１、遮断弁１２、制御部１３、記憶部１４、プリペイドガス使用可能量設定部１５および入出力部１７を備える。ガス使用可能時間表示装置２０は、入出力部１７、および表示部２６を備える。
【００４１】
第３の実施形態におけるガス供給制御装置１０およびガス使用可能時間表示装置２０の具体的構成は、基本的に第２の実施形態の構成と同様である。相違点は、プリペイドガス使用可能量設定部１５をガス供給制御装置１０に設けた点、およびガス使用可能時間表示装置２０側で制御を行わずにガス使用可能時間表示装置２０を簡素な構成にした点である。第３の実施形態におけるガス供給制御装置１０およびガス使用可能時間表示装置２０の動作は、図２に示すフローチャートの説明と同様である。
【００４２】
第３の実施形態は、第２の実施形態と比較し、ガス使用可能時間表示装置２０側で制御を行わないため、ガス使用可能時間表示装置２０を小型化しやすく、ガス消費者の所望の場所に配置しやすくなる。
【００４３】
なお、本発明はプログラムをコンピュータに実行させて実現することもできる。当該プログラムは、磁気記録媒体、光記録媒体、光磁気記録媒体、若しくは半導体ＩＣ記録媒体に記録されて提供される。または、プログラムサーバからネットワークを介して、ＦＴＰ（Ｆｉｌｅ  Ｔｒａｎｓｆｅｒ  Ｐｒｏｔｏｃｏｌ）、ＨＴＴＰ（ｈｙｐｅｒｔｅｘｔ  ｔｒａｎｓｆｅｒ  ｐｒｏｔｏｃｏｌ）等のプロトコルによりダウンロードされて提供される。
【００４４】
なお、上述した実施形態は、本発明の好適な実施形態の一例を示したものであり、本発明はそれに限定されることなく、その要旨を逸脱しない範囲内において種々変形実施が可能である。
【００４５】
例えば、図１に示すガス供給制御装置１０または図３に示すガス使用可能時間表示装置２０に音声出力部を追加して、ガス使用可能時間が残り僅かになった時点で警告音を出力する構成としてもよい。
【００４６】
また、ガス使用可能時間表示装置２０は、単に入出力部２７および表示部２６を備える構成でもよく、その場合その他の処理は、プリペイドガス使用可能量の設定も含めてガス供給制御装置１０が行う。
【００４７】
【発明の効果】
以上の説明から明らかなように、請求項１記載の発明によれば、制御手段が現在のガス流量（現在使用しているガス器具のガス使用量）を基にガス使用可能時間を算出し、表示手段がガス使用可能時間を表示するため、ガス使用可能時間表示より早くガスが使用できなくなるということがなくなるため、ガス消費者の利便性が向上する。
【００４８】
請求項２記載の発明によれば、請求項１記載の発明の効果に加えて、制御手段がガス流量の変化がある度にガス使用可能時間を再計算し、表示手段がリアルタイムにガス使用可能時間を表示することにより、より精度の高いガス使用可能時間をガス消費者に提示することができる。
【００４９】
請求項３記載の発明によれば、制御手段がガス供給制御装置から受信する現在のガス流量を基にガス使用可能時間を算出し、表示手段がガス使用可能時間を表示するため、ガス使用可能時間表示より早くガスが使用できなくなるということがなくなるため、ガス消費者の利便性が向上する。また、表示手段をガス供給制御装置から分離したことから、ガス消費者の希望する位置でガス使用可能時間を表示することができる。さらに、既存のガス供給制御装置にガス使用可能時間を表示する装置を後付けすることができる。
【００５０】
請求項４記載の発明によれば、請求項３記載の発明の効果に加えて、制御手段がガス流量の変化がある度にガス使用可能残時間を再計算し、表示手段がリアルタイムにガス使用可能残時間を表示することにより、より精度の高いガス使用可能時間をガス消費者に提示することができる。
【００５１】
請求項５記載の発明によれば、現在のガス流量を基にガス使用可能時間を算出し、リアルタイムにガス使用可能時間を表示するため、ガス使用可能時間表示より早くガスが使用できなくなるということがなくなるため、ガス消費者の利便性が向上する。
【００５２】
請求項６記載の発明によれば、現在のガス流量を基にガス使用可能時間を算出させ、リアルタイムにガス使用可能時間を表示させるプログラムを実行することにより、ガス使用可能時間表示より早くガスが使用できなくなるということがなくなるため、ガス消費者の利便性が向上する。
【図面の簡単な説明】
【図１】本発明の第１の実施形態におけるガス供給制御装置の構成を示すブロック図である。
【図２】本発明の実施形態におけるガス供給制御装置の動作を説明するためのフローチャートである。
【図３】本発明の第２の実施形態におけるガス供給制御装置およびガス使用可能時間表示装置の構成を示すブロック図である。
【図４】本発明の第３の実施形態におけるガス供給制御装置およびガス使用可能時間表示装置の構成を示すブロック図である。
【符号の説明】
１０  ガス供給制御装置
１１  流量センサ
１２  遮断弁
１３  制御部
１４  記憶部
１５  プリペイドガス使用可能量設定部
１６  表示部
２０  ガス使用可能時間表示装置
【図１】
2005043979.tif 000003
【図２】
2005043979.tif 000004
【図３】
2005043979.tif 000005
【図４】
2005043979.tif 000006